(57)【要約】【課題】ビルの壁等の縦面Ｇを緑化するにあたり、苗床を、土壌基材を用い接着剤で固化することなく形成する。【解決手段】不織布で形成した袋体２に挿入組み込みした箱体３に土壌基材４を充填することで形成された苗床１を枠材６で支持して縦面緑化用ユニットＵに形成した状態とし、袋体２に形成のスリット２ｏを拡開することで、箱体３に形成の植付け孔３ｒから露出する土壌基材４に植物Ａを植付けるようにする。【選択図】図１５
2014195415.tif 000002
【特許請求の範囲】
【請求項１】
建造物の壁面を植物で緑化するための苗床であって、該苗床は、形状維持するための箱体と、該箱体を挿入組み込みして箱体の外面を覆う袋体と、前記箱体に充填され、植物を植栽するための土壌基材とからなり、袋体の正面には植物の幹を貫通するための貫通部が複数形成され、箱体の正面には、前記貫通部を通して土壌基材が露出して植物を植付けることができる植付け孔が形成されていることを特徴とする建造物における壁面緑化用苗床。
【請求項２】
箱体は厚紙で形成されることで形状維持するものであり、箱体の上面には灌水用の灌水孔が形成されていることを特徴とする請求項１記載の建造物における壁面緑化用苗床。
【請求項３】
袋体は通気性、通水性を有する布で形成され、袋体の上面には、箱体の灌水孔に対応する灌水孔が形成されていることを特徴とする請求項２記載の建造物における壁面緑化用苗床。
【請求項４】
袋体は、少なくとも一面が箱体を挿入組み込みするための開口を有しており、箱体は、少なくとも一面が土壌基材を充填するための開口を有していることを特徴とする請求項１乃至３の何れか１記載の建造物における壁面緑化用苗床。
【請求項５】
箱体は、少なくとも底面に細孔が形成されていることを特徴とする請求１乃至４の何れか１記載の建造物における壁面緑化用苗床。
【請求項６】
袋体の貫通部と箱体の植付け孔とのあいだには、貫通部から土壌基材がこぼれ出るのを防止するための封止材が設けられていることを特徴とする請求項１乃至５の何れか１記載の建造物における壁面緑化用苗床。
【請求項７】
請求項１乃至６の何れか１記載の壁面緑化用苗床を枠材で縦状に支持することで形成されることを特徴とする建造物における壁面緑化用ユニット。
【請求項８】
請求項７記載の壁面緑化ユニットを、壁面に固定された取付け下地に上下枠を着脱自在に固定することで壁面に形成されることを特徴とする建造物における壁面緑化装置。
【発明の詳細な説明】
【技術分野】
【０００１】
本発明は、ビルの外壁や擁壁、フェンス、モニュメント等の建造物の壁面を緑化するための建造物における壁面緑化用苗床、壁面緑化用ユニットおよび壁面緑化装置の技術分野に関するものである。
【背景技術】
【０００２】
今日、ビルや擁壁、フェンス、モニュメント等の建造物の壁面を緑化することで都市部等での緑化面積を確保すると共に、断熱機能を発揮させてエネルギーの省力化を図ることが提唱されている。このようなもののなかには、例えばパーライトやバーミキュライトのように軽量多孔質であって保水性、通気性、保肥性に優れた岩石や土壌を土壌基材として用い、これら土壌基材をバインダーで固めて所定形状の苗床を形成し、該苗床に蔦や蔓等の植物を育成させたものを建造物の壁面に敷設し、枠材を介して壁面に取り付けることで緑化を図るようにしたものが知られている（例えば特許文献１参照）。
【先行技術文献】
【特許文献】
【０００３】
【特許文献１】特開２００１−１６９６５８号公報
【発明の概要】
【発明が解決しようとする課題】
【０００４】
しかしながら前記従来のものは、土壌基材を固定化するため植栽育成に悪影響を与えないバインダーを必要とするためコストアップになるだけでなく、接着部分に根が伸びることが妨げられてしまううえ、土壌基材をバインダーで固めた苗床を直接壁面に敷設した状態でこれを格子状の支持部材を介して建造物壁面に支持するようにしていたため、苗床が直接外部に露出することになり、このため、悪戯や物がぶつかったりした等により苗床の破損が避けられないものであった。しかも苗床を形成するためのバインダーはどうしても劣化が避けられず、バインダーの劣化が進むと苗床自体が崩れ出し、場合によっては崩壊してしまうという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、建造物の壁面を植物で緑化するための苗床であって、該苗床は、形状維持するための箱体と、該箱体を挿入組み込みして箱体の外面を覆う袋体と、前記箱体に充填され、植物を植栽するための土壌基材とからなり、袋体の正面には植物の幹が貫通するための貫通部が複数形成され、箱体の正面には、前記貫通部を通して土壌基材が露出して植物を植付けることができる植付け孔が形成されていることを特徴とする建造物における壁面緑化用苗床である。
請求項２の発明は、箱体は厚紙で形成されることで形状維持するものであり、箱体の上面には灌水用の灌水孔が形成されていることを特徴とする請求項１記載の建造物における壁面緑化用苗床である。
請求項３の発明は、袋体は通気性、通水性を有する布で形成され、袋体の上面には、箱体の灌水孔に対応する灌水孔が形成されていることを特徴とする請求項２記載の建造物における壁面緑化用苗床である。
請求項４の発明は、袋体は、少なくとも一面が箱体を挿入組み込みするための開口を有しており、箱体は、少なくとも一面が土壌基材を充填するための開口を有していることを特徴とする請求項１乃至３の何れか１記載の建造物における壁面緑化用苗床である。
請求項５の発明は、箱体は、少なくとも底面に細孔が形成されていることを特徴とする請求１乃至４の何れか１記載の建造物における壁面緑化用苗床である。
請求項６の発明は、袋体の貫通部と箱体の植付け孔とのあいだには、貫通部から土壌基材がこぼれ出るのを防止するための封止材が設けられていることを特徴とする請求項１乃至５の何れか１記載の建造物における壁面緑化用苗床である。
請求項７の発明は、請求項１乃至６の何れか１記載の壁面緑化用苗床を枠材で縦状に支持することで形成されることを特徴とする建造物における壁面緑化用ユニットである。
請求項８の発明は、請求項７記載の壁面緑化ユニットを、壁面に固定された取付け下地に上下枠を着脱自在に固定することで壁面に形成されることを特徴とする建造物における壁面緑化装置である。
【発明の効果】
【０００６】
請求項１の発明とすることにより、苗床は、外面が袋体により被覆され、袋体の内面に箱体が挿入組み込みされたものとなるため形状維持ができ、箱体内に充填される土壌基材を接着剤で固める必要がないうえ、悪戯や物がぶつかる等しても、袋体、箱体により土壌基材の保護が図れることになる。
請求項２の発明とすることにより、苗床の形状維持が図れると共に、苗床への灌水が容易になる。
請求項３の発明とすることにより、植栽される植物への灌水が確実になると共に、通気性も図れることになって植物の生育を促進できることになる。
請求項４の発明とすることにより、袋体への箱体の挿入組み込み、箱体内への土壌基材の充填が容易となる。
請求項５の発明とすることにより、土壌基材に灌水された余剰の水が箱体底面の細孔から袋体を通って流れ出ることになって植物の効率の高い育成が図れることになる。
請求項６の発明とすることにより、壁面に取り付けたとき、貫通部から土壌基材がこぼれ出るのを防止することができる。
請求項７の発明とすることにより、枠材を用いての壁面緑化用ユニットが簡単にできることになる。
請求項８の発明とすることにより、壁面緑化用ユニットの取り付けが下地材を用いて簡単にできることになる。
【図面の簡単な説明】
【０００７】
【図１】壁面緑化装置の全体正面図である。
【図２】壁面緑化装置の全体斜視図である。
【図３】（Ａ）は袋体の斜視図、（Ｂ）は平面部を開けた状態の袋体の背面斜視図、（Ｃ）は袋体の展開図、（Ｄ）は突き合わせコーナー部の縫合状態を示す断面図、（Ｅ）は折り曲げコーナー部の縫合状態を示す断面図である。
【図４】（Ａ）は箱体の斜視図、（Ｂ）は平面部を開けた状態の箱体の背面斜視図、（Ｃ）は箱体の展開図である。
【図５】苗床の形成手順を示す図である。
【図６】苗床の形成手順を示す図である。
【図７】（Ａ）、（Ｂ）、（Ｃ）は枠材の平面図、正面図、側面図である。
【図８】枠材の分解斜視図である。
【図９】（Ａ）、（Ｂ）、（Ｃ）は緑化用ユニットの組込み手順を示す説明図である。
【図１０】（Ａ）は封止材の斜視図、（Ｂ）は苗床への植栽手順を示す説明図である。
【図１１】（Ａ）、（Ｂ）、（Ｃ）は取付け下地の平面図、正面図、底面図、（Ｄ）は（Ｂ）のＸ−Ｘ断面拡大図である。
【図１２】図１の一部切欠き拡大図である。
【図１３】壁面緑化装置の平面図である。
【図１４】壁面緑化装置の縦断面図である。
【図１５】図１４の要部拡大図である。
【図１６】取付け下地の取付けを示す斜視図である。
【図１７】緑化用ユニットの取付けを示す斜視図である。
【発明を実施するための形態】
【０００８】
以下、本発明の実施の形態について、図面に基づいて説明する。図中、１は建造物壁面緑化用苗床であって、該苗床１は、不織布（織布であってもよい）で形成されていて後述するように壁面Ｇに取り付けたとき外部に露出する袋状の袋体２と、該袋体２に内装され、形状維持するための紙製（形状維持されるものであれば布製であってもよい）の箱体３と、該箱体３に充填される粒状の土壌基材４とを用いて構成されている。
【０００９】
袋体２は、通気性、通水性、保水性に優れているが、土壌基材４は流出しない大きさの目を有した厚手の布材で形成されている。形状としては箱形状になっていれば特に限定されないが、本実施の形態では左右方向が上下方向よりもやや長くなった直方体となっており、正面部２ａ、背面部２ｂ、左右側面部２ｃ、平面部２ｄ、底面部２ｅを備えている。そして、本実施の形態では、図３（Ｃ）に示す展開図のものを縫合することで形成されているが、このものは、正面部２ａの上下両端に平面部２ｄ、底面部２ｅが連続し、平面部２ｄの上端に延長部２ｆが連続形成され、底面部２ｅの下端に背面部２ｂが連続し、背面部２ｂの左右両端に左右側面部２ｃが連続している。
そして左右側面部２ｃと正面部２ａとの突き合わせコーナー部２ｇ、左右側面部２ｃと底面部２ｅとの突き合わせコーナー部２ｈが、図３（Ｄ）に示すようにそれぞれ縫合（縫製）Ｎされることで直方体形状となっているが、本実施の形態では形状維持のため、正面部２ａと平面部２ｄとの折り曲げコーナー部２ｊ、平面部２ｄと延長部２ｆとの折り曲げコーナー部２ｋ、背面部２ｂと左右側面部２ｃとの折り曲げコーナー部２ｌを、図３（Ｅ）に示すように折り曲げて折山部分を縫合Ｎしており、底面部２ｅと正面部２ａおよび背面部２ｂとの各コーナー部２ｍ、２ｎについては縫合していないが、該コーナー部２ｍ、２ｎについても同様にして縫合してもよい。またこれらコーナー部については、形状維持するための処理として、縫合ではなく、例えば溶着や接着のような形状維持処理を施したものとしてもよいことは勿論である。
さらに袋体２は、正面部２ａに植物Ａの幹が土壌基材４から出るためのスリット２ｏが上下左右に複数形成され、平面部２ｄには灌水用の灌水孔２ｐが左右方向に複数開設されている。
因みに正面部２ａには、植栽される植物Ａの幹が貫通する貫通部が形成されていれば足りるものであり、必ずしも本実施の形態のように拡開自在なスリット２ｏである必要はない。そして本実施の形態のように開閉自在なスリット２ｏとしたことにより、植栽後、スリット２ｏを塞ぐことで土壌基材４がスリット２ｏからこぼれ落ちるのを防止でき都合がよい。そして貫通部としては、例えば単純な孔状のものであってもよく、この場合、壁面取付けしたときに、植物Ａの根張りが確りしていたり、土壌基材４が絡み合った長繊維状のものであったりしていて貫通部から土壌基材４がこぼれ落ちる惧れがない場合については、貫通部について何の手当をする必要はなくそのままの状態で壁面取付けをすることができ、一方、壁面取付けをしたときに貫通部から土壌基材４がこぼれ落ちる惧れがある場合には、後述する封止材１４のようなものを用いて貫通部を封止すればよい。
そして袋体２は、後述するように箱体３を内装した状態で、延長部２ｆを内装した箱体３の背面部３ｂと袋体背面部２ｂとのあいだに差し込むことで蓋がなされる状態で組み込まれるようになっている。因みに袋体２は、後述するように枠材６により囲撓保持されるため、延長部２ｆは、単に袋体背面部２ｂの背面に重ねるようにしてもよいことはいうまでもない。また袋体２は、後述するように箱体３を挿入組み込みする場合の開口は平面部である必要はなく例えば側面部であってもよく、また一つである必要もない。
【００１０】
また箱体３は形状維持を図るため厚手の紙材（厚紙、板紙）で形成されるが、表面がポリエチレンフィルムでラミネート処理されている。そして、該箱体３は、前述したように袋体２に内装されるものであって袋体２と同じく長方体形状をしていて、正面部３ａ、背面部３ｂ、左右側面部３ｃ、平面部３ｄ、底面部３ｅを備えて形成されている。本実施の形態では図４（Ｃ）の展開図に示すように切断されたものを組み立てて形成している。このものは正面部３ａの右端に右側面部３ｃが連続し、該右側面部３ｃの右端に背面部３ｂが連続し、該背面部３ｂの右端に左側面部３ｃが連続している。一方、正面部３ａの上端に平面部３ｄが連続し、正面部の下端に底面部３ｅが連続している。さらに左右側面部３ｃの上下端、平面部３ｄの上端、底面部３ｅの下端、正面部３ａの左端にそれぞれ重ね代３ｆ、３ｇ、３ｈ、３ｉ、３ｊ、３ｋ、３ｌが延出形成されている。
さらに背面部３ｂの上下端には差込み片３ｍが形成されるが、該差込み片３ｍの背面部３ｂ接続部位には切欠き３ｎが形成されていて差込み片３ｍを前後方向に変位できるようになっている。
一方、平面部３ｄと重ね代３ｊとのコーナー部３ｏおよび底面部３ｅと重ね代３ｋとのコーナー部３ｐには前記差込み片３ｍを差込むためのスリット３ｑが形成されている。
そして箱体３は、展開図におけるコーナー部（点線部分）を折り曲げ、重ね代３ｇ、３ｉ、３ｋ、３ｌが箱内に位置する状態で該重ね代３ｇ、３ｉ、３ｋ、３ｌを対応する箱内面部に重ね合わせると共に、差込み片３ｍをスリット３ｑに差し込むことで、平面部３ｄが開口した状態で組み立てられるようになっている。因みに、箱体３に形成する開口は、土壌基材４を充填するためのものであり、このため開口は必ずしも平面部でなくてもよく例えば側面部であってもよく、さらに植付け孔３ｒや灌水孔３ｓからでも土壌基材４を充填することができ、これら開口は一つである必要もない。
さらに箱体３の正面部３ａには植物Ａを植え付けるための植付け孔３ｒが前記袋体スリット２ｏに対応するよう縦横に複数形成され、平面部３ｄには灌水用の灌水孔３ｓが、前記袋体灌水孔２ｐに対応するよう左右に複数形成され、背面部３ｂ、底面部３ｅには通気および通水をするための細孔３ｔが複数形成されている。そして、後述するように、灌水孔３ｓから箱体３内の土壌基材４に供給された水のうち余剰分は、前記細孔３ｔから箱体３外に排出されるようになっている。
因みに本実施の形態の箱体３は、左右側面部３ｃと重ね代３ｌとが接着剤により貼着されている。
【００１１】
一方、土壌基材４は、本実施の形態では真珠岩パーライトを焼成して発泡させた粒状のものを採用しているが、これに限定されるものでなく、例えばバーミキュライト、黒土、礫、砂、鹿沼土、ガラス玉、シュロの髭、水苔等、通常知られた植栽用の土壌基材４のなかから少なくとも一種類以上を選択して使用することができる。この場合に、土壌基材４に肥料を必要において混合させておくことができる。
【００１２】
次に苗床１の形成手順について図５、図６に基づいて説明する。平面部２ｄが開いた状態の袋体２に平面部３ｄが開いた状態の箱体３を挿入組み込みする。次いで、該箱体３が組み込まれた袋体２を立ち状態の型材５に組み込んだ後、土壌基材４を上辺開口から充填する。土壌基材４は予め濡れた湿潤状態にしておくことが好ましく、これをスコップ等の道具を利用して箱体３に目一杯になるまで充填するが、このとき棒等の詰め込み部材を用いて密状態にすることが好ましい。その後、箱体３、袋体２の開口している平面部３ｄ、２ｄを順次閉じてから、型材５をスリット２ｏが上面となるよう倒し、該型材５から袋体２を抜き出すことで苗床１を形成することができる。
尚、このものでは型材５を倒してから袋体２を抜き取っているが、型材５が底面のないものである場合には、起立姿勢のまま型材５を持ち上げることで苗床１を型材５から抜き出すことができ、該抜き出した苗床１を倒し、植栽作業に移行することができる。
因みに、本実施の形態の苗床１は、厚紙により形成された箱体３により確りとした形状維持が図れるものであるため、型材５を用いないでも土壌基材４を充填することができる。
【００１３】
前記形成された苗床１は、植物Ａが植栽される前に枠材６が組み付けられる。枠材６は、上枠７、左右側枠８、下枠９、格子枠１０、背面枠１１とにより構成されている。勿論、植物Ａが植栽された後、枠材６を組み付けるようにしてもよいことはいうまでもない。
上枠７と下枠９とは天地勝手違いであるため、下枠９について説明をし、上枠７の説明は省略する。下枠９は、縦片９ａと、該縦片９ａの上端から前後に延びる上片９ｂと、該上片９ｂの前端から上方に延び、上端に後述する格子枠１０に設けた係止体１０ｃが係止するフック状の係止片９ｃと、上片９ｂにおいて、縦片９ａ位置よりも僅かに係止片９ｃ側に偏倚した位置から上方に延びたものの上端に形成される前側ビスポケット９ｄと、上片９ｂの後端から上方に延びたものの上端に形成される後側ビスポケット９ｅとを備えて構成されている。そして枠材６を苗床１に組み込んだ状態では、袋体平面部２ｄが苗床１の上面となり、袋体正面部２ａが苗床の前面となるが、前記下枠９の係止片９ｃは、苗床１の前面と下面とのコーナー部に当接するか隣接対向するようになっている。また、下枠９の後端部に位置する後側ビスポケット９ｅは、苗床１の前後方向中間部にまでしか至らないように下枠９の前後幅寸法が苗床１よりも幅狭に設定され、そして前後ビスポケット９ｄ、９ｅは苗床１の下面に当接するか近接対向するようになっている。
さらに係止片９ｃには、格子枠１０の縦格子１０ａが嵌入するための嵌入溝９ｆが形成され、縦片９ａには、後述するように建造物の壁面Ｇに固定するための取付け下地１５にボルト固定するためのボルト孔９ｇが形成され、上片９ｂには、後述する背面枠１１をビス１３を用いて取り付けるためのビス孔９ｈが形成されている。
尚、図中、７ａ、７ｂ、７ｃ、７ｄ、７ｅ、７ｇはそれぞれ上枠７の縦片、上片、係止片、前側ビスポケット、後側ビスポケット、ボルト孔であり、嵌入溝７ｆ、ビス孔７ｈは図８においては隠れているため見えない状態になっている。
そして、前記上枠７の前後幅寸法が苗床１よりも幅狭に設定されていることによって、苗床１の上面の後半部が上枠７から後方に突出して前記灌水孔２ｐ、３ｓが露出するようになっている。
【００１４】
次に左右側枠８について説明するが、左右側枠８は、左右勝手違いであるが、該左右側枠８は、前後方向に幅広の本体部８ａと、該本体部８ａの前端部に左右方向外方に向けてコ字形に折曲され、その前端に後述する格子枠１０に設けた係止体１０ｄが係止するフック状の係止片８ｂと、本体部８の後端に左右方向外方に向けて折曲する後端片８ｃとを備えて構成されている。
さらに本体部８ａには、上枠７のビスポケット７ｄ、７ｅにビス１２を螺入するためのビス孔８ｄが穿設され、係止片８ｂには、格子枠１０の横格子１０ｂが嵌入するための嵌入溝８ｅが形成されている。
そして上下枠７、９と左右側枠８とは、ビス孔８ｄに貫通したビス１２を前後ビスポケット７ｄ、７ｅに螺入することで固定されるようになっている。
【００１５】
格子枠１０は、縦横格子１０ａ、１０ｂにより形成されていて苗床１の前方への倒れ防止をすることになるが、縦横格子１０ａ、１０ｂの各端部には棒状の係止体１０ｃ、１０ｄが左右方向または上下方向に設けられている。そして格子枠１０は、横格子１０ｂの係止体１０ｄを、横格子１０ｂが嵌入溝８ｅに嵌入する状態で係止片８ｂの先端を乗り越えさせて係止することで抜け止め状の係止ができるようになっている。縦格子１０ａの係止体１０ｃについても同様にして上下枠７、１０に抜け止め状に係止される。
【００１６】
最後に背面枠１１であるが、該背面枠１１は、側面視コ字形をしており、複数（本実施の実施の形態では３本）の背面枠１１が左右方向に間隔を存する状態で上下枠７、９に固定されるようになるが、該背面枠１１の上下片には前記ビス１３が貫通するためのビス孔１１ａが形成されており、これら上下枠７、９と背面枠１１とは、ビス孔１１ａを貫通させたビス１３を上下枠７、９のビス孔７ｈ、９ｈに螺入することで固定されるようになっている。
【００１７】
そしてこのように苗床１に枠材６が組み込まれることで壁面緑化用ユニットＵが形成されるが、該緑化用ユニットＵは、図９に示す如く、背面枠１１を跨部が下側を向く状態で間隔を存して配置させ、その上に苗床１をセットする。ついで予め組み立てておいた上下左右および格子枠７、９、８、１０を苗床１にかぶせ、ビス１３を用いて上下枠７、９と背面枠１１とを固定することで組み立てられることになる。
【００１８】
このようにして組み立てられた緑化用ユニットＵに植物Ａを植栽することになるが、その手順は、図１０に示すように、袋体正面部２ａが上側となる状態でセットし、袋体スリット２ｏをこじ開けると箱体植付け孔３ｒから土壌基材４が露出することになり、この露出した土壌基材４に植物Ａを植栽し、この状態で少なくとも植物Ａが根付くまて育成させる。そしてこのものでは、後述するように壁面Ｇに緑化用ユニットＵを取り付けたとき、土壌基材４が袋体スリット２ｏからこぼれ出ないよう封止材１４を用いているが、該封止材１４は、例えば軟質発泡ポリウレタンのように通気性、通水性のある素材から選択され、箱体植付け孔３ｒよりも大きい平薄板形状をし、外周から中心位置まで切り込み１４ａが形成されている。そして、切り込み１４ａを通して植物Ａの根本が封止材１４の中心に位置するように移動させた後、袋体スリット２ｏをこじ開けた状態にして封止材１４を袋体正面部２ａと箱体正面部３ａとのあいだに挿入することで、緑化用ユニットＵを縦姿勢にしても土壌基材４がこぼれ出ないようにしている。この封止材１４の挿入作業は、植物Ａを植え込んだ直後、育成途中、出荷直前、壁面Ｇへの取付け前の何れでもよい。
【００１９】
次に、緑化用ユニットＵの植物Ａが育成し、ビルの外壁や擁壁、フェンス、モニュメント等の建造物の壁面Ｇに組み込んでもよい状態になったら、組み込み現場に搬送して壁面Ｇに取り付けることになるが、それには、まず、壁面Ｇに例えばアンカーボルトのような固定ボルト１６を突出させておき、該固定ボルト１６に後述する取付け下地１５をナット１６ａを介して固定する。
【００２０】
前記取付け下地１５は、前記固定ボルト１６が貫通するボルト孔１５ｍが穿設される縦片１５ａと、該縦片１５ａのボルト固定位置よりも下側位置から前方に向けて突出する上下二枚の上側片１５ｂ、下側片１５ｃと、上下側片１５ｂ、１５ｃの前端に形成され、取付けボルト１７のボルト頭部１７ａが左右方向にスライド移動自在に嵌合されるボルト支持溝１５ｄと、該ボルト支持溝１５ｄの後側に形成され、灌水パイプ１８を遊嵌状に支持するパイプ支持溝１５ｅとを備えて構成されている。
【００２１】
前記パイプ支持溝１５ｅは、上面１５ｆ、前後面１５ｇ、１５ｈが灌水パイプ１８を遊嵌状に収納する広さに設定されているが、前後面１５ｇ、１５ｈの下端からは、下側ほど対向間隔が幅狭となり、下端が開口１５ｉするよう傾斜した前後のパイプ支持片１５ｊ、１５ｋが延出されている。上記開口１５ｉの開口寸法は、灌水パイプ１８が開口１５ｉから抜け落ちないように灌水パイプ１８の外径よりも小さく設定されており、而して、前記パイプ支持片１５ｊ、１５ｋによって灌水パイプ１８の下側半部を抜け止め状に支持できるようになっている。さらに、上側片１５ｂにおいてパイプ支持溝１５ｅの上面１５ｆとなる部分には、複数の水抜き孔１５ｎが形成されている。そして灌水パイプ１８に設けた灌水孔（図示せず）から水が供給されるが、該供給された水は、後述するように、パイプ支持片１５ｊ、１５ｋの下端開口１５ｉから袋体２に至り、さらに箱体３内に浸入して土壌基材４に給水される。
尚、灌水パイプ１８は、一端側は水道に接続された本配管１９に分岐接続され、他端側はレ字状に折り曲げた状態で緊締具２０で締めることにより止水されるようになっている。灌水パイプ１８を折り曲げることにより、該折り曲げ部分が太り、パイプ支持溝１５ｅに入り込まない場合には、例えばパイプ支持溝１５ｅを短く切り落として折り曲げ部分の配設スペースを確保するようにすることができる。
【００２２】
図１、図２においては、上下に三列、左右に二行の緑化用ユニットＵを併設して構成した壁面緑化装置Ｒを例示するものであり、このように上下に複数列の緑化用ユニットＵを並設するには、まず、上下方向に所定間隔（緑化用ユニットＵの上下幅に対応する間隔）を存する状態で、緑化用ユニットＵの列数よりも一本多い本数の取付け下地（緑化用ユニットＵが三列の場合には四本）１５を壁面Ｇに水平状に固定する。この場合、図１６に示すように、固定ボルト１６に取付け下地１５のボルト孔１５ｍを挿入し、ナット１６ａを用いて取付け下地１５を壁面Ｇに固定する。しかる後、取付け下地１５のパイプ支持溝１５ｅに灌水パイプ１８を挿通し、該灌水パイプ１８の一端側を本配管１９に接続する。
次いで、取付け下地１５の上下間に配されるように緑化用ユニットＵを取付け下地１５に固定するが、この場合、図１７に示すように、取付けボルト１７のボルト頭部１７ａを取付け下地ボルト支持溝１５ｄに組み込み、取付けボルト１７を緑化用ユニットＵの凡その取り付け位置にスライド移動させる。そして、緑化用ユニットＵの上下枠７、９のボルト孔７ｇ、９ｇに、該緑化用ユニットＵの上下に位置する取付け下地１５のボルト支持溝１５ｄに組み込まれた取付けボルト１７をそれぞれ貫通させて、緑化用ユニットＵを取付け下地１５に仮保持する。この仮保持状態で緑化用ユニットＵを正規の取り付け位置まで移動させ、取付けボルト１７にナット１７ｂを螺合して緊締することにより、緑化用ユニットＵを壁面Ｇに固定できるようになっている。この場合に、図１、図２に示すように上下に複数列の緑化用ユニットＵを並設する場合には、最も上側および下側に配される取付け下地１５を除く中間位置の取付け下地１５は、該取付け下地１５の上側に位置する緑化用ユニットＵの下枠９の縦片９ａと、下側に位置する緑化用ユニットＵの上枠７の縦片７ａとを、ボルト孔９ｇ、７ｇ同士が位置合せされるように前後に重ね合わせた状態で、これらボルト９ｇ、７ｇに取付けボルト１７を貫通させることで、該取付けボルト１７が共通化された状態で上側の緑化用ユニットＵの下枠９と下側の緑化用ユニットＵの上枠７とを同時に固定できる構成になっており、これにより、緑化用ユニットＵを効率的に取付け下地１５に固定できるようになっている。
尚、本実施の形態では、上中下三列の緑化用ユニットＵを取付け下地１５に取付けるにあたり、上列の緑化用ユニットＵの上枠７、および下列の緑化用ユニットＵの下枠９を取付け下地１５に取り付けた後、中列の緑化用ユニットＵの上枠７を上列の緑化用ユニットＵの下枠９と共に、また、中列の緑化用ユニットＵの下枠９を下列の緑化用ユニットＵの上枠７と共に取付けるようにしている。このようにすることにより、中列の緑化用ユニットＵについては単独で取り外すことができ、上列、下列の緑化用ユニットＵの何れか一方を取り外したいときには、中列の緑化用ユニットＵを取り外した後に、取り外したい側の上列、下列の緑化用ユニットＵを取り外すことができることになり、これとは逆に中列の緑化用ユニットＵを最初に取り付け、上下列の緑化用ユニットＵをその後取付けた場合のように、中列の緑化用ユニットＵを取り外すときに上下両方の緑化用ユニットＵを外さなければならないようなことがなく、メンテナンス性が向上する。
【００２３】
この様にして緑化用ユニットＵは取付け下地１５に固定されるが、該緑化用ユニットＵが取付け下地１５に固定された状態で、取付け下地１５のパイプ支持溝１５ｅの下端開口１５ｉは、上枠７から後方に突出する苗床１後半部の上方に位置するように設定されている。つまり、前述したように、上枠７は苗床１よりも前後方向幅狭に形成されていて、苗床１の後半部は上枠７から後方に突出して灌水孔２ｐ、３ｓが露出するようになっているが、該上枠７から後方に突出する苗床１後半部の上方にパイプ支持溝１５ｅの下端開口１５ｉが位置することによって、灌水パイプ１８から供給される水を、上枠７に妨げられることなく確実に灌水孔２ｐ、３ｓから土壌基材４に供給できるようになっている。尚、背面枠１１は前述したように左右方向に間隔を存する状態で設けられているため、灌水パイプ１８から苗床１への給水が背面枠１１によって妨げられる惧れは無い。
さらに、前記灌水パイプ１８から土壌基材４に供給された水のうち余剰分は、箱体３の細孔３tから袋体２を通って緑化用ユニットＵの下方に流れて、該緑化用ユニットＵの下側に位置する取付け下地１５の上側片１５ｂに落下するが、該上側片１５ｂには、前述したようにパイプ支持溝１５ｅの上面１５ｆとなる部分に水抜き孔１５ｎが形成されており、該水抜き孔１５ｎからパイプ支持溝１５ｅに浸入する。そして、該パイプ支持溝１５ｅに浸入した余剰水は、パイプ支持片１５ｊ、１５ｋの下端開口１５ｉから落下して下側の緑化用ユニットＵの苗床１に供給されるようになっており、而して、緑化用ユニットＵから流出する余剰水も無駄にすることなく使用できるようになっている。尚、本実施の形態では、上枠７と下枠９とは天地勝手で違いであるため、苗床１の後半部は下枠９からも後方に突出しており、これにより、余剰水が緑化用ユニットＵから排出されやすい構造になっている。
また、前述したように、パイプ支持溝１５ｅの下部を形成するパイプ支持片１５ｊ、１５ｋは、下側ほど対向間隔が幅狭となって下端が開口１５ｉするように傾斜しているため、該傾斜するパイプ支持片１５ｊ、１５ｋによって灌水パイプ１８を位置決め状に支持できると共に、灌水パイプ１８から供給される水や、水抜き孔１５ｎから浸入した水を、パイプ支持溝１５ｅ内で停留させることなく開口１５ｉから確実に下方に落下させることができる構成になっている。
【００２４】
ここで、前記灌水パイプ１８は、汎用のものが用いられているため詳細な説明は省略するが、複数の灌水孔から同圧、同水量の水が流出されるように構成されている。さらに、本実施の形態では、本配管１９と水道とのあいだの配管に、タイマおよび液肥供給部（何れも図示せず）が接続されていて、緑化用ユニットＵに予め設定した時間に自動的に給水されるようになっていると共に、灌水パイプ１８から緑化用ユニットＵに供給される水に、例えば微量要素等の肥料を含む液体肥料を適宜追加することができるようになっている。また、本実施の形態では、最下端に配される緑化用ユニットＵから排出された余剰水を樋２１に流す構成になっているが、余剰水を循環させる構成にすることもできる。
【００２５】
叙述の如く構成された本実施の形態において、建造物の壁面を緑化するための苗床１は、外層が外側の袋体２と内側の箱体３との二層構造となって形状維持が図られるため、その内側に充填される土壌基材４を接着剤で固める必要はなく粒状のものをそのまま用いることができる。この結果、従来のもののように、苗床が悪戯されたり物がぶつかったりして崩れてしまうこともなく、また劣化による苗床崩壊もなく、長期に亘って壁面Ｇの緑化維持が図られることになる。
しかもこの場合、内層の箱体３については余裕がある植付け孔３ｒが形成されていて植物Ａを土壌基材４に支障なく植付けることができるが、外層の袋体２については、拡開自在なスリット２ｏとなっているため、植物Ａの植付け時には該スリット２ｏを拡開することで植付け孔３ｒから土壌基材４を露出させて植物Ａを植付けることができ、植付け後はスリット２ｏを閉じることで縦姿勢としても土壌基材４がこぼれ出てしまうことを回避しているが、本実施の形態では、さらに植付け孔３ｒよりも大きい封止材１４をスリット２ｏと植付け孔３ｒとのあいだに挿入しているため、土壌基材４がこぼれ出てしまうことが一層回避されることになる。
【００２６】
しかもこのものは苗床１を形成するにあたり、袋体２は、一面である平面部２ｄが開閉できる構成となっていて箱体３を挿入組み込みできるため、苗床１の形成が容易になる。また箱体３についても一面である平面部３ｄが開閉できる構成となっているため、土壌基材４の箱体３への充填が容易になる。
尚、本実施の形態では、袋体２、箱体３とも平面部２ｄ、３ｄを開閉できる構成にし、箱体３を袋体２に挿入組み込みしたものを型材５に組み込んで土壌基材４を充填するようにして、該土壌基材４がスリット２ｏからこぼれ出ないようにしたが、本発明はこれに限定されるものでなく、例えば箱体３については正面部３ａを開閉できるようにしておけば、正面部３ａを開いた横置き姿勢の箱体３に土壌基材４を充填した後、正面部３ａを閉じ、しかる後、該充填した箱体３を袋体２に挿入組み込みすることで苗床１を形成できるようにしてもよい。
【００２７】
また袋体２は通気性、通水性がある布で形成され、箱体３については平面部３ｄに灌水孔３ｓが形成されているため、灌水パイプ１８から供給される水は、袋体２を通して灌水孔３ｓから土壌基材４に供給されることになって水不足により植物Ａの育成が損なわれるようなことがない。しかも本実施の形態では、袋体２についても箱体３に形成の灌水孔３ｓに対応して灌水孔２ｐが形成されているため、より一層、灌水効率が高くなる。
そのうえ袋体２は、不織布で形成されているため、スリット２ｏや正面部２ａの左右端縁のような切断端縁が綻びてしまうようなことがなく、優れた形状維持機能が発揮できることになる。
【００２８】
しかも箱体３は、本実施の形態では表面がラミネート処理された紙材（厚紙）で形成されていて水による崩壊を可及的に回避するようになっているが、本発明が実施されたものにおいては、その外側を袋体２で被覆されているため、苗床１自体、二重の形状維持が図れることになって長期の使用に耐えることができ、万が一箱体３が水の浸食により箱体３が崩壊したとして、その外層が袋体２で覆われているため、箱体３の崩壊を遅らせることができる。そして袋体２自体は、布製で形成されていて水の浸食による崩壊が殆ど起こらないものであるため、苗床１自体の形状崩壊を防止することができる。
そして箱体３自体は、前述したようにラミネートしたことで透水性がない素材となっているが、底面部３ｅに細孔３ｔが形成されているため、灌水されたものの余剰水は、該細孔３ｔから流れ落ちることになるため水はけがよく、植物Ａが根腐れしてしまうようなことを回避することができる。さらに本実施の形態では、箱体３の背面部３ｂにも細孔３ｔが形成されているため、ここでの余剰水の水はけが促されると共に、通気性も確保されることになって植物Ａの生育を促すことができる。
【００２９】
一方、袋体２は、本実施の形態においては底面部２ｅのコーナー部を除いたコーナー部２ｇ、２ｈ、２ｊ、２ｋ、２ｌが縫合Ｎ処理されているため、該コーナー部２ｇ、２ｈ、２ｊ、２ｋ、２ｌを直角状態に形状維持することが容易となり、型崩れすることを回避することができる。
【００３０】
このように構成される苗床１は、上下左右枠７、９、８、格子枠１０、背面枠１１により形成される枠材６によって６面保持がなされて壁面緑化用ユニットＵを形成し、壁面に支持されることになるが、上枠７は、前後方向に幅狭となっていて、箱体灌水孔３ｓが露出する構成になっているため、上方にある灌水パイプ１８からの灌水に支障をきたすことがなく、確実な灌水ができることになる。
そして壁面緑化用ユニットＵは、上下枠７、９を壁面Ｇに着脱自在に固定することで取付けられるため、壁面緑化用ユニットの取付けや交換作業が簡単にでき、季節に応じた植物Ａが植栽された壁面緑化用ユニットＵに交換する等して緑化を楽しむこともできる。
また壁面緑化用ユニットＵは左右方向に移動自在に取付けられるため、取り付け位置の変更も容易であって、多様性のある緑化が可能となる。
【００３１】
この場合において、壁面緑化用ユニットＵを上下に複数隣接して設ける場合に、上側壁面緑化用ユニットＵの下枠９と、下側壁面緑化用ユニットＵの上枠７とが共通した取付けボルト１７によって取付けられるため、その分、部品点数が減少すると共に構造の簡略化が図れることになる。
【産業上の利用可能性】
【００３２】
本発明は、ビルの外壁や擁壁、フェンス、モニュメント等の建造物の壁面を緑化するための壁面緑化用苗床、壁面緑化用ユニットおよび壁面緑化装置に利用することができる。
【符号の説明】
【００３３】
１  苗床
２  袋体
２ｏ  スリット
２ｐ  灌水孔
３  箱体
３ｒ  植付け孔
３ｓ  灌水孔
４  土壌基材
６  枠材
７  上枠
８  左右側枠
９  下枠
１０  格子枠
１１  背面枠
１４  封止材
１５  取付け下地
Ｕ  緑化用ユニット
Ｇ  壁面
Ａ  植物
Ｒ  壁面緑化装置
【図１】
2014195415.tif 000003
【図２】
2014195415.tif 000004
【図３】
2014195415.tif 000005
【図４】
2014195415.tif 000006
【図５】
2014195415.tif 000007
【図６】
2014195415.tif 000008
【図７】
2014195415.tif 000009
【図８】
2014195415.tif 000010
【図９】
2014195415.tif 000011
【図１０】
2014195415.tif 000012
【図１１】
2014195415.tif 000013
【図１２】
2014195415.tif 000014
【図１３】
2014195415.tif 000015
【図１４】
2014195415.tif 000016
【図１５】
2014195415.tif 000017
【図１６】
2014195415.tif 000018
【図１７】
2014195415.tif 000019